(57)【特許請求の範囲】
【請求項１】
用紙供給部に載置され印刷部が印刷された印刷紙に対して、前記印刷紙の搬送経路に設けた直刃カッターによる印刷紙の搬送方向に直交する方向の切断と、スリッタによる印刷紙の搬送方向の切断とにより、前記印刷部を印刷紙から分離するよう裁断する裁断装置において、
前記用紙供給部は、
前記裁断装置に対して固定された下段ベース部と、
前記下段ベース部に対して搬送先端側で軸支することで傾斜可能な上段移動部とを備え、
前記上段移動部は、
下段ベース部の反搬送先側に設けられ前記下段ベース部に対して前記印刷紙の幅方向にスライド移動を可能とするスライド手段を有する一方、
前記スライド手段は、
前記下段ベース部の側面に装着された把持部の軸に対して、前記把持部の回動に応じて移動するよう装着された移動板と、
前記移動板に固定され前記上段移動部の下面に対して嵌合するよう配置される移動ピンと、
前記移動板と前記下段ベース部に設けた支持部との間に装着されたバネと、
を備えた
ことを特徴とする裁断装置。
【発明の詳細な説明】
【技術分野】
【０００１】
本発明は、複数の印刷部が印刷された印刷紙を所望の大きさに裁断する裁断装置に関し、特に、印刷紙に対して印刷部（画像領域）が傾斜して印刷される場合であっても、印刷紙から印刷部（画像領域）を画像外周部で裁断することが可能な裁断装置に関する。
裁断装置は、例えば、搬送された印刷紙（印刷シート）に対して搬送方向と直角な方向にカッターで切断し、搬送方向に沿ってスリッタで切断することで、１枚の印刷紙（印刷シート）から複数の名刺やはがきを作成する際に使用される。
【背景技術】
【０００２】
裁断装置としては、複数の名刺を印刷した所定の大きさの印刷シートを、印刷された各名刺の上下の端縁をカッターで切断し、左右の側縁の切断及び各名刺の分離をスリッタで行う構造が、例えば、特許文献１に記載されている。すなわち、この裁断装置によれば、１枚の用紙に複数の名刺を行列状に印刷し、その後、印刷シートに印刷された各名刺の上下端縁及び左右側縁を裁断し、名刺を個々に分離して排出する。
また、図９（ａ）に示すように、１枚の印刷シートに一つの画像が印刷されている場合、印刷シートに印刷された上下端縁及び左右側縁をカッター及びスリッタでそれぞれ裁断して印刷シートから画像部分を分離して排出する。
【先行技術文献】
【特許文献】
【０００３】
【特許文献１】特開平１０−７６４９５号公報。
【発明の概要】
【発明が解決しようとする課題】
【０００４】
印刷シートに印刷される画像は、印刷機の用紙搬送誤差等に起因して印刷誤差が発生し、印刷シートの四辺と画像外周四辺との平行が出ていない場合がある。例えば図９（ｂ）に示すように、印刷シート１００に対する上縁右端と印刷シートの縁との長さがＸで、印刷シート１００に対する下縁右端と印刷シートの縁との長さがＹであるような場合である。
このような印刷シート１００の画像領域１００ａの外周を裁断する場合、カッター及びスリッタに対して搬送を行う用紙供給部が固定された関係で取り付けられていると、傾斜された画像領域の外周を裁断することができない。
このような場合、印刷シート１００の印刷のやり直しを行って裁断装置で切断する、又は、目視により画像領域１００ａの外周に定規を当ててカッターにより不要な部分を切断するという煩雑な作業が行われていた。
【０００５】
本発明は上記事情に鑑みて提案されたもので、印刷紙に対して印刷部（画像領域）が傾斜して印刷された場合でも、印刷紙から印刷部（画像領域）を画像外周部で裁断することが可能な用紙供給部を備えた裁断装置を提供することを目的としている。
【課題を解決するための手段】
【０００６】
上記目的を達成するため本発明は、用紙供給部に載置され印刷部（画像領域）が印刷された印刷紙（印刷シート）に対して、前記印刷紙の搬送経路に設けた直刃カッターによる印刷紙の搬送方向に直交する方向の切断と、スリッタによる印刷紙の搬送方向の切断とにより、前記印刷部を印刷紙から分離するよう裁断する裁断装置において、
前記用紙供給部は、
前記裁断装置に対して固定された下段ベース部と、
前記下段ベース部に対して搬送先端側で軸支することで回動可能な上段移動部とを備え、
前記上段移動部は、下段ベース部の反搬送先側に設けられ前記下段ベース部に対して前記印刷紙の幅方向にスライド移動するスライド手段により移動可能に構成する
ことを特徴としている。
【０００７】
更に、前記スライド手段は、
前記下段ベース部の側面に装着された把持部の軸に対して、前記把持部の回動に応じて移動するよう装着された移動板と、
前記移動板に固定され前記上段移動部の下面に対して嵌合するよう配置される移動ピンと、
前記移動板と前記下段ベース部に設けた支持部との間に装着されたバネと、
を備えたことを特徴としている。
【発明の効果】
【０００８】
本発明の裁断装置によれば、下段ベース部に対して回動可能な上段移動部を備えた用紙供給部とすることで、上段移動部に載置される印刷紙を搬送方向に沿った中心線に対して傾斜させて搬送経路に送り出すことができ、印刷紙に対して印刷部（画像領域）が傾斜して印刷された場合でも、印刷紙から印刷部（画像領域）を画像外周部で裁断することが可能となる。
【図面の簡単な説明】
【０００９】
【図１】本発明の裁断装置の一例を示す斜視説明図である。
【図２】裁断装置の概略構成を示す構造説明図である。
【図３】裁断装置により裁断される印刷シートの一例を示す平面説明図である。
【図４】裁断装置に装着された用紙供給部に印刷部が傾斜した印刷シートを載置した状態を示す平面説明図である。
【図５】用紙供給部の平面説明図である。
【図６】用紙供給部から上段移動部を外して下段ベース部を臨ませた状態を示す平面説明図である
【図７】図５の用紙供給部のＡ−Ａ線断面説明図である。
【図８】図５の用紙供給部の正面説明図である。
【図９】（ａ）（ｂ）は、裁断装置により裁断される印刷シートの一例を示す平面説明図である。
【発明を実施するための形態】
【００１０】
本発明の裁断装置の実施態様の一例について、図１乃至図８を参照しながら説明する。
裁断装置１は、図１に示すように一端側に用紙供給部となる給紙ユニット２を備え、給紙ユニット２から供給された印刷シートが内部において、搬送方向に直交する方向及び搬送方向でそれぞれ切断され、裁断紙が排紙ローラで排出され、他端側に装着された排紙トレイ内に積載される。給紙ユニット２上には、載置された複数の印刷シートを給紙ローラに押し付けるための用紙台２０が装着されている。
【００１１】
印刷シート１００は、例えば図３に示されるように、Ａ４サイズの用紙において、複数の名刺（印刷部）Ｎ、Ｎ・・が長手方向（図の上下方向）に５列（第１列Ｌ１乃至第５列Ｌ５）及び左右方向に２行（第１行Ｍ１及び第２行Ｍ２）に配置するように印刷されている。
印刷シート１００の周囲には、上余白部分１０２，下余白部分１０３，左余白部分１０４，右余白部分１０５がそれぞれ形成され、第１行Ｍ１と第２行Ｍ２の間には縦余白部分１０６が形成され、隣接する列の間には横余白部分１２１〜１２４が形成されている。
各名刺（印刷部）は、左側縁１０７及び側縁１０８、側縁１０９及び右側縁１１０と、上端縁１１１又は端縁１１２〜１２０で囲まれた領域であり、縦余白部分１０６及び横余白部分１２１〜１２４は、各名刺Ｎの側縁１０８、１０９又は端縁１１２〜１１９に隣接し、各名刺の文字、図形の印刷インキや着色料が隣接する名刺上にはみ出すことを防止する。また、縦余白部分１０６内の上側（搬送先側）に位置マーク１０１が印刷されている。位置マーク１０１の上端縁は、印刷シート１００の第１列Ｌ１の名刺の上端縁１１１と一直線をなすようになっている。
【００１２】
排紙トレイ１０は、上側が開口するとともに、排出先の先方が深くなるような底面を有することで、排出された裁断紙の積載を整頓するようになっている。
コントロールパネル部５は、印刷シート１００を所望位置で裁断するための各種情報を入力するものであり、テンキー等を有して構成されている。
【００１３】
裁断装置１の内部には、図２に示すように、給紙ユニット２の用紙台２０に載置された印刷シートをピックアップする給紙ローラ６１、印刷シートを搬送する上下一対の分離ローラ６２，６３、印刷シートの位置マークを検知するマークセンサ８０、マークセンサ８０の奥側に配され給紙された印刷シートの先端及び切断された切り屑残りを検出する先端センサ（図示せず）、印刷シートを搬送する上下一対のカッター前搬送ローラ６４，６５、印刷シートを搬送方向と直交する方向に切断する往復運動可能な直刃を有する直刃ユニット６６，６７、印刷シートを搬送する上下一対のカッター後搬送ローラ６８，６９、印刷シートを搬送方向に切断するスリッタユニット（上刃）７１及びスリッタユニット（下刃）７２が設けられている。
【００１４】
給紙ユニット２の用紙台２０上へ供給された複数の印刷シートは、後述する一対の側板２１ａ，２１ｂの位置を調節することで用紙台２０の中央位置に配置され、給紙ローラ６１でピックアップされて上下一対の分離ローラ６２，６３間に搬送され、更に上下一対の搬送ローラ６４，６５間に搬送され、直刃ユニット６６，６７へ供給される。
そして、各種センサ（マークセンサ８０及び先端センサ）からの信号により、直刃ユニット６６，６７へ供給される印刷シートの第１列の名刺の上端縁を検出して上端縁検出信号を出力し、直刃ユニット６６，６７が、前記上端縁検出信号により制御され、直刃ユニット６６，６７により印刷シートを第１列の名刺の上端縁に沿って裁断する。
【００１５】
次に、第１列の名刺の下端縁を直刃ユニット６６，６７により裁断し、その後、順次、各列の上端縁及び下端縁を裁断し、それにより名刺の各列を順次裁断分離する。
続いて、カッター後搬送ローラ６８，６９が直刃ユニット６６，６７において裁断分離された名刺の各列をスリッタユニット７１，７２へ順次供給し、スリッタユニット７１，７２が有する複数組の円形上刃及び円形下刃により、カッター後搬送ローラ６８，６９から供給された各列の各名刺の右側縁及び左側縁を切断し名刺を個々に分離して裁断紙とし、排紙ローラ３，４を介して排紙トレイ１０へ排出する。
【００１６】
次に、本発明の特徴部分となる給紙ユニット２の詳細構成について、図４乃至図８を参照しながら説明する。
給紙ユニット（用紙供給部）２は、下段ベース部３０と、下段ベース部３０上に移動可能に連結された上段移動部４０から構成されている。
下段ベース部３０は、裁断装置１に装着された左右の機器フレーム６ａ，６ｂに対して、裁断装置のカッターと平行となるように架設された軸７，７に固定することで裁断装置１の搬送先の中心に位置するように装着されている。下段ベース部３０の搬送先端側の中心位置には軸状の支点ピン３１が固定され、この支点ピン３１が上段移動部４０の搬送先端側の中心位置の下面に設けた支点ボス４１に嵌合することで下段ベース部３０に対して上段移動部４０が軸支され、上段移動部４０が下段ベース部３０上を支点ピン３１及び支点ボス４１を中心に回動して傾斜可能に構成されている。また、上段移動部４０は、下段ベース部３０の反搬送先側に設けられ下段ベース部３０に対して印刷紙１００の幅方向にスライド移動するスライド手段３３を介することで、下段ベース部３０に対して移動可能に装着されている。
【００１７】
スライド手段３３は、下段ベース部３０の裏面３０ａに固定された調整片３３１を備えている。調整片３３１は、折曲片の断面コ字状部分の上面が裏面３０ａに固定される一方、コ字状の対片部分を貫通するようにガイド軸３３２が回動可能なように一方側がナット３３３で固定され、下段ベース部３０の側面に位置するガイド軸３３２の他方側にダイヤル状の把持部３３４が装着されている。
【００１８】
把持部３３４とともに回動するガイド軸３３２にはネジ山が形成され、断面がコ字状の折曲片から構成される移動板３３５の一端側の立片３３６ａに設けた孔部３３７が螺着されている。また、移動板３３５には円柱状の移動ピン３３８が固定され、下段ベース部３０の上面から突出して配置されている。移動板３３５の他端側の立片３３６ｂには下段ベース部３０の裏面に設けた支持部３５との間に、移動板３３５を支持部側に常時付勢するバネ３３９が装着されている。
【００１９】
調整片３３１のバネ３３９配置側には延長片３３１ａが連結され、その下面が移動板３３５に当接する位置とすることで、移動板３３５が延長片３３１ａに沿ってスライド動作するようになっている。調整片３３１の延長片３３１ａには、移動板３３５がスライド動作可能なように移動ピン３３８が移動するための長孔３３１ｂが形成されている。
【００２０】
上段移動部４０には、移動ピン３３８が貫通するための孔部４２が設けられている。孔部４２は、図５の上下方向で移動ピン３３８の径より一回り大きい径で形成されている。これは、孔部４２や移動ピン３３８の各々に部品の製造誤差や組み立て誤差があっても、移動ピン３３８が上部移動部４０の孔部４２に挿入可能とすることを主な目的としている。
また、上段移動部４０の上面側には移動ピン３３８を左右方向で挟む位置に移動ピン当接部４３ａ，４３ｂを設けることで、移動ピン３３８の直線運動を上段移動部４０の回転運動に変換し移動ピン３３８のスライド動作に応じて上段移動部４０が下段ベース部３０上で支点ピン３１及び支点ボス４１を中心に回動可能としている（移動ピン３３８に対して上部移動部４０が上下方向で若干移動する）。
また、上段移動部４０には、突起部４４，４４が形成され、突起部４４，４４の先端位置が下部ベース部３０上に接触することで、下段ベース部３０上において上段移動部４０が円滑に移動できるようにしている。
【００２１】
上段移動部４０の搬送方向と反対側の左右の面には、矢視部４６を有するプレートで形成されたインジケータ部４５，４５がそれぞれ固定され、下段ベース部３０に対して上段移動部４０が傾斜した場合にその割合に応じてインジケータ部４５の矢視部４６が下段ベース部３０に対応して設けた目盛部３６，３６の目盛を指示するようになっている。目盛部３６は、中心位置に対して左右にどれだけずれたかを示すように構成されている。尚、インジケータ部４５及び目盛部３６は左右に一対設けたが、同じ情報を表示するものであるので片方のみ設置してもよい。
【００２２】
上述したスライド手段３３の構成によれば、把持部３３４を廻すとガイド軸３３２が回転しバネ３３９による引っ張り力を受けながら調整片３３１の延長片３３１ａに沿って移動板３３５がスライド移動する。バネ３３９の存在により、把持部３３４の回動に対して「アソビ」を無くし、ガイド軸３３２の回転に対する移動板３３５の移動を滑らかにすることができる。
移動板３３５の移動と共に移動ピン３３８が移動し、上段移動部４０が印刷シートの幅方向に移動することで、下段ベース部３０に対して上段移動部４０が支点ピン３１及び支点ボス４１を中心に回動して傾斜する。傾斜の割合は、インジケータ部４５の矢視部４６が目盛部３６を示すことで目視することができる。目盛部３６は、下部ベース部３０と上段移動部４０とが完全に重なる場合に、目盛部３６における中央位置の目盛をインジケータ部４５の矢視部４６が示し、把持部３３４の回動により下部ベース部３０に対して上段移動部４０が傾斜する場合に、中央位置に対して左右にずれた目盛を矢視部４６が示すように構成している。
【００２３】
上段移動部４０上に設置された側板２１ａ，２１ｂは、それぞれ幅方向に長いガイドレール２２内を移動するガイド材２３上に固定されている。側板２１ａ，２１ｂの下面には、ガイドレール２２と平行となるラックギヤ２４がそれぞれ装着され、各ラックギヤ２４は上段移動部４０上の中央に装着された円盤ギヤ２５に噛合するように構成されている。従って、側板２１ａ，２１ｂのどちらかをガイドレール２２に沿ってスライド移動させると、他方の側板も同じ距離移動することで、側板２１ａ，２１ｂ間に配置される印刷シートの幅に合わせて側板２１ａ，２１ｂの距離を調整できる。
また、側板２１ａの外側位置には、側板２１の縦板に当接して移動を制限する側板固定材２６が固定ネジ２７で固定可能なように構成されている。側板２１ａ，２１ｂの間隔を固定したい場合には、側板固定材２６を装着すればよい。
【００２４】
上記構造の裁断装置を使用して印刷シートの裁断を行う場合について説明する。
給紙ユニット２上に装着された用紙台２０上に印刷シート１００を載置し、印刷シート１００の幅に合致するように側板２１ａ，２１ｂの間隔を調整する。
この際、図４及び図９（ｂ）に示すように、印刷シート１００の四隅に対して印刷部（画像領域）１００ａが傾斜して印刷されている場合、それに応じて下段ベース部３０に対して上段移動部４０を傾斜させる。
【００２５】
すなわち、把持部３３４を回動させることでガイド軸３３２が回動し、移動板３３５が下部ベース部３０の幅方向（印刷シートの幅方向）に対して回動方向に応じてスライド動作する。移動板３３５がスライド動作すると、移動板３３５に固定された移動ピン３３８も同時に移動し、移動ピン３３８が嵌合された上段移動部４０が印刷シートの幅方向に移動することで、下段ベース部３０に対して上段移動部４０が支点ピン３１及び支点ボス４１を中心に回動して傾斜する。傾斜の割合は、インジケータ部４５の矢視部４６が目盛部３６を示すことで目視することができるが、例えば、図９（ｂ）の画像領域１０１ａの傾斜が（Ｘ−Ｙ）ｍｍであれば、上部移動部４０の長さ（一定値）を画像領域１０１ａの長さ（ランダム値）で除した値を前記（Ｘ−Ｙ）に乗じ、その値の目盛に矢視部４６を合わせるまで把持部３３４を回動させる。
【００２６】
その結果、印刷シート１００の印刷部（画像領域）１００ａのスリッタによる切断面が搬送方向に沿うように印刷シート１００を配置させることで、直刃ユニット６６，６７による裁断及びスリッタユニット７１，７２による裁断を画像領域１００ａの外周に沿った切断面で行うことができ、印刷紙１００に対して印刷部（画像領域）１００ａが傾斜して印刷された場合でも、印刷紙１００から印刷部（画像領域）１００ａを画像外周部で裁断することができる。
【符号の説明】
【００２７】
１…裁断装置、  ２…給紙ユニット（用紙供給部）、  ３…排紙ローラ、  ４…排紙ローラ、  ６ａ，６ｂ…機器フレーム、  １０…排紙トレイ、  ２０…用紙台、  ３０…下段ベース部、  ３１…支点ピン、  ３３…スライド手段、  ３５…支持部、  ３６…目盛部、  ４０…上段移動部、  ４１…支点ボス、  ４２…孔部、  １００…印刷シート（印刷紙）、  １００ａ…印刷部（画像領域）、  ３３１…調整片、  ３３２…ガイド軸、  ３３３…ナット、  ３３４…把持部、  ３３５…移動板、  ３３８…移動ピン、  ３３９…バネ。
【図１】
0005494924.tif 000002
【図２】
0005494924.tif 000003
【図３】
0005494924.tif 000004
【図４】
0005494924.tif 000005
【図５】
0005494924.tif 000006
【図６】
0005494924.tif 000007
【図７】
0005494924.tif 000008
【図８】
0005494924.tif 000009
【図９】
0005494924.tif 000010